(57)【要約】【課題】公衆トイレの洗面台等に使用した場合でも、いたずら等で蛇口が配管から取り外されるおそれを防止することができる給水装置を提供する。【解決手段】壁板１９の裏側に設けられた配管２４に蛇口２５を接続するとともに、その蛇口２５の吐水部２９を壁板１９の表側に設けた給水装置１７において、蛇口２５の吐水部２９と開閉操作部３０とを分離する。吐水部２９を壁板１９の透孔から表側に突出させるとともに、開閉操作部３０を壁板１９の透孔から表側に臨ませる。配管２４と吐水部２９との接続部及び配管２４と開閉操作部３０との接続部を、壁板１９の裏側に配置する。【選択図】図２
2011162954.tif 000002
【特許請求の範囲】
【請求項１】
壁部の裏側に設けられた配管に蛇口を接続するとともに、その蛇口の吐水部を前記壁部の表側に設けた給水装置であって、
前記吐水部を壁部の透孔から壁部の表側に突出させるとともに、蛇口の開閉操作部を壁部の透孔から壁部の表側に臨ませ、前記配管と吐水部との接続部及び配管と開閉操作部との接続部を前記壁部の裏側に配置したことを特徴とする給水装置。
【請求項２】
蛇口の吐水部と開閉操作部とを分離し、それらを異なる透孔に通したことを特徴とする請求項１に記載の給水装置。
【請求項３】
前記開閉操作部の最大径の部分を前記壁部の表側に突出しないようにしたことを特徴とする請求項２に記載の給水装置。
【請求項４】
前記壁部の透孔にフランジ付きスリーブを嵌合するとともに、そのフランジを壁部の表側の面に接合し、前記吐水部及び開閉操作部をスリーブ内に挿通させたことを特徴とする請求項２または３に記載の給水装置。
【請求項５】
前記開閉操作部として自閉式のものを使用したことを特徴とする請求項１〜４のうちのいずれか一項に記載の給水装置。
【請求項６】
前記吐水部を可撓管により構成したことを特徴とする請求項１〜５のうちのいずれか一項に記載の給水装置。
【発明の詳細な説明】
【技術分野】
【０００１】
この発明は、例えば公衆トイレの洗面台等に設置される給水装置に関するものである。
【背景技術】
【０００２】
従来、この種の給水装置としては、例えば特許文献１に開示されるような構成が提案されている。この従来構成では、壁部における蛇口の取り付け箇所に開口が設けられ、その開口の前面に鋼板よりなる壁板が取り付けられている。壁部の内側に配置された配管の先端には継手が取り付けられ、その継手の先端には外ネジ部が設けられている。壁板の裏側において外ネジ部には、裏ナットが螺合されている。また、壁板の表側おいて継手の外ネジ部には防水リングが嵌合されるとともに、ロックナットが螺合されている。そして、このロックナットと裏ナットとにより、継手が壁板に固定され、その状態で、継手の先端に壁板の表側から蛇口が螺着されている。
【先行技術文献】
【特許文献】
【０００３】
【特許文献１】特開平７−３００８８４号公報
【発明の概要】
【発明が解決しようとする課題】
【０００４】
この特許文献１に記載された従来の給水装置においては、蛇口吐水部及び開閉操作部を一体化した蛇口が壁板の表側に突出するとともに、継手の先端が壁板から壁板の表側に位置しているため、継手と蛇口との接続部が壁板の表側に配置されている。このため、この給水装置を公衆トイレの洗面台等に設置した場合に、いたずらや盗難のために蛇口が継手から取り外されて、蛇口を使用できず、しかも大量の水が噴出し続けるおそれがあるという問題があった。
【０００５】
この発明は、このような従来の技術に存在する問題点に着目してなされたものである。その目的は、公衆トイレの洗面台等に使用した場合でも、いたずら等によって蛇口が配管から取り外されるおそれを防止することができる給水装置を提供することにある。
【課題を解決するための手段】
【０００６】
上記の目的を達成するために、この発明は、壁部の裏側に設けられた配管に蛇口を接続するとともに、その蛇口の吐水部を前記壁部の表側に設けた給水装置であって、前記吐水部を壁部の透孔から壁部の表側に突出させるとともに、前記開閉操作部を壁部の透孔から壁部の表側に臨ませ、前記配管と吐水部との接続部及び配管と開閉操作部との接続部を前記壁部の裏側に配置したことを特徴としている。
【０００７】
従って、この発明の給水装置を公衆トイレの洗面台等に使用した場合、いたずら等で壁部の表側より、蛇口が取り外されるおそれを防止することができる。
前記の構成において、蛇口の吐水部と開閉操作部とを分離するとよい。
【０００８】
前記の構成において、前記開閉操作部の最大径の部分を前記壁部の表側に突出しないようにするとよい。
前記の構成において、前記壁部の透孔にフランジ付きスリーブを嵌合するとともに、そのフランジを壁部の表側の面に接合し、前記吐水部及び開閉操作部をスリーブ内に挿通させるとよい。
【０００９】
前記の構成において、前記開閉操作部として自閉式のものを使用するとよい。
前記の構成において、前記吐水部を可撓管により構成するとよい。
【発明の効果】
【００１０】
以上のように、この発明によれば、給水装置を公衆トイレの洗面台等に使用した場合でも、いたずら等で蛇口が配管から取り外されるおそれを防止することができるという効果を発揮する。
【図面の簡単な説明】
【００１１】
【図１】一実施形態の給水装置を示す斜視図。
【図２】図１の給水装置において壁板を取り外した状態を示す斜視図。
【図３】壁板及びフランジ付きスリーブの分解斜視図。
【図４】図１の４−４線における部分拡大断面図。
【図５】図１の５−５線における部分拡大断面図。
【図６】洗面台の排水管用カバーの斜視図。
【発明を実施するための形態】
【００１２】
以下に、この発明を具体化した給水装置の一実施形態を、図面に従って説明する。
図１に示すように、この実施形態においては、公衆トイレ等の洗面所の壁部１１に洗面台１２が設置されている。洗面台１２の下端から下方に延びる排水管１３の全体を覆うように、壁部１１にはカバー１４が取り付けられている。図６に示すように、カバー１４の両側部及び下部の周縁にはフランジ部１５が設けられ、このフランジ部１５に形成された複数のネジ挿通孔１５ａを通して、壁部１１にネジ１６が螺入されることにより、カバー１４が洗面台１２の下部において壁部１１に固定されている。そして、このカバー１４によって洗面台１２の下面及び排水管１３が覆われることにより、いたずら等によって排水管１３が取り外されたり、壊されたりするおそれが防止される。
【００１３】
図１及び図２に示すように、前記洗面台１２の上方において、壁部１１には給水装置１７が配置されている。そこで、以下に、この給水装置１７及びその関連構成を詳細に説明する。すなわち、壁部１１には開口部１８が形成され、その開口部１８の前面には壁部としての金属板，セメント板，硬質樹脂板等よりなる壁板１９が複数のネジ２０により着脱可能に取り付けられている。なお、この壁板１９用のネジ２０及び前記カバー１４用のネジ１６としては、特殊の工具を使用しないと回転させることができない特殊構造のものが使用され、いたずら等で通常の工具を使用して取り外すことができないようになっている。
【００１４】
図３に示すように、前記壁板１９には一対の透孔２１Ａ，２１Ｂが形成されている。図４及び図５に示すように、各透孔２１Ａ，２１Ｂにはフランジ２２ａ付きスリーブ２２Ａ，２２Ｂが、そのフランジ２２ａを壁板１９の表側の面に接合した状態で嵌合されている。各スリーブ２２Ａ，２２Ｂの外周にはネジ部２２ｂが形成され、壁板１９の裏側からネジ部２２ｂにロックナット２３Ａ，２３Ｂが螺合されることにより、スリーブ２２Ａ，２２Ｂが壁板１９に固定されている。
【００１５】
図２に示すように、前記壁板１９の裏側において、壁部１１の開口部１８内には上水道の配管２４が設けられ、その配管２４には同じく壁板１９の裏側における継手２６Ａ，２６Ｂを介して蛇口２５が接続されている。すなわち、配管２４の先端部及びその上流側には継手２６Ａ，２６Ｂが接続され、それらの継手２６Ａ，２６Ｂは開口部１８の内底部の支持枠２７上にブラケット２８Ａ，２８Ｂを介して固定状態で支持されている。前記蛇口２５は、先端に吐水口２９ａを有する吐水部２９と、その吐水部２９を開閉操作するための開閉操作部３０とに分離して構成されている。
【００１６】
前記蛇口２５の吐水部２９はゴムやビニール等の可撓管により構成され、配管２４の先端部側の継手２６Ａに接続された状態で、壁板１９の透孔２１Ａ中のスリーブ２２Ａを通して表側に突出されている。そして、吐水部２９の先端の吐水口２９ａが壁板１９の表側において、洗面台１２の上方に配置されている。
【００１７】
前記蛇口２５の開閉操作部３０は、プッシュ式であって、押圧操作時に一定時間開放された後に自動的に閉鎖される自閉式のものが使用されている。そして、図１及び図５に示すように、この開閉操作部３０が配管２４の継手２６Ｂに接続された状態で、壁板１９の透孔２１Ｂ中のスリーブ２２Ｂを通して表側に臨むように配置されている。この場合、図５に示すように、開閉操作部３０の最大径の部分を構成する稜線３０ａの位置がスリーブ２２Ｂの先端開口縁よりも内側に配置されて、壁板１９の表側に突出しないように構成されている。
【００１８】
そして、前記配管２４に対する蛇口２５の接続状態で、配管２４上の継手２６Ａと蛇口２５の吐水部２９との接続部、及び配管２４上の継手２６Ｂと開閉操作部３０との接続部が壁板１９の表側に露出することなく、壁板１９の裏側に配置されている。そして、壁板１９の表側には、吐水部２９の先端部が突出するとともに、開閉操作部３０の先端面が臨んでいる。
【００１９】
従って、開閉操作部３０を押圧操作すれば、吐水部２９から水道水が吐水されて、洗顔や飲料に供することができる。
また、ネジ２０を外すことにより、壁板１９を取り外せば、開口部１８が大きく開放され、その開口部１８内において、吐水部２９や開閉操作部３０の修理，交換等を容易に行うことができる。
【００２０】
そして、この実施形態によれば、以下のような効果を得ることができる。
（１）  この給水装置においては、壁板１９の裏側の配管２４に接続される蛇口２５の吐水部２９と開閉操作部３０とが分離して構成されている。また、蛇口２５の吐水部２９が壁板１９の透孔２１Ａから表側に突出されるとともに、開閉操作部３０が壁板１９の透孔２１Ｂから壁板１９の表側に臨むように配置されている。配管２４と吐水部２９との接続部及び配管２４と開閉操作部３０との接続部が、壁板１９の裏側に配置されている。よって、壁板１９の表側に単純な形状の吐水部２９が突出するだけであって、工具等の道具を係合するための凹凸は存在しない。従って、この給水装置１７を例えば公衆トイレの洗面台に使用した場合でも、いたずら等で蛇口２５の吐水部２９及び開閉操作部３０が配管２４との接続部から取り外されたり、壊されたりするおそれを防止することができる。また、蛇口２５の吐水部２９と開閉操作部３０とが分離して構成されているため、仮に蛇口２５の吐水部２９が配管２４の接続部から無理に引き外されたとしても、配管２４から水が吐出し続けるおそれを防止することができる。
【００２１】
（２）  この給水装置においては、前記蛇口２５の吐水部２９が可撓管により構成されている。よって、その吐水部２９の先端の吐水口２９ａを必要とする方向に簡単に向けることができ、水の扱いが容易となるばかりでなく、吐水部２９が顔に当たらないようにすることが可能になり、仮に顔に当たったとしても、蛇口２５が撓んで逃げるため、問題はない。
【００２２】
（３）  この給水装置においては、前記蛇口２５の開閉操作部３０としてプッシュ式で、かつ自閉式のものが使用されている。よって、蛇口２５の開閉操作部３０が壁板１９の表側に大きく突出していなくても、開閉操作部３０を指などでプッシュ操作することにより、蛇口２５の吐水部２９を適切に開閉させることができる。
【００２３】
（４）  この給水装置においては、前記開閉操作部３０の最大径の部分である稜線３０ａの位置が壁板１９の表側に突出しないように構成されている。よって、いたずら等で開閉操作部３０の最大径の部分である稜線３０ａの部分に工具や紐等が掛けられることを防止でき、従って、開閉操作部３０が配管２４の接続部から無理矢理に引き出されるおそれを防止することができる。
【００２４】
（５）  この給水装置においては、前記壁板１９の各透孔２１Ａ，２１Ｂにフランジ付きスリーブ２２Ａ，２２Ｂが嵌合されるとともに、そのフランジ２２ａが壁板１９の表側の面に接合されている。そして、前記蛇口２５の吐水部２９及び開閉操作部３０が各スリーブ２２Ａ，２２Ｂ内に設けられている。よって、壁板１９の各透孔２１Ａ，２１Ｂから壁板１９の裏側に工具や異物等が差し込まれるおそれを効果的に防止することができる。また、各スリーブ２２Ａ，２２Ｂのネジ部２２ｂにロックナット２３Ａ，２３Ｂが螺合されているため、スリーブ２２Ａ，２２Ｂが壁板１９から取り外されることを防止することができる。
【００２５】
（６）  この給水装置においては、蛇口２５の吐水部２９及び開閉操作部３０が各スリーブ２２Ａ，２２Ｂ内に通されているだけあるため、壁板１９を壁部１１から取り外せば、各スリーブ２２Ａ，２２Ｂを外したりすることなく、壁板１９を開口部１８から簡単に撤去することができる。このため、蛇口２５の保守点検等が容易になる。そして、壁板１９を取り外せば、図２から明らかなように、開口部１８内において蛇口２５や配管２４の周囲が大きく開放され、蛇口２５等の補修や点検を容易に行うことができる。
【００２６】
（７）  この給水装置においては、壁板１９から吐水部２９の先端部が突出するとともに、開閉操作部３０の先端面が露出するのみであるため、シンプルな外観形状となり、高いデザイン性を得ることができる。
【００２７】
（変更例）
なお、この実施形態は、次のように変更して具体化することも可能である。
・  前記実施形態において、蛇口２５の開閉操作部３０として、タッチセンサ式のものを使用したり、オン・オフ交替式（１回の操作ごとに、オン状態とオフ状態とが入れ替わるタイプ）を使用したりすること。
【００２８】
・  蛇口２５の吐水部２９を金属あるいは硬質合成樹脂等のパイプ材により構成すること。
・  吐水部２９を強い力で引っ張ることにより、吐水部２９を継手２６Ａから引き抜くことができるようにすること。このためには、例えば、継手２６Ａとして、内筒と、その内筒の外側にネジ着される外筒とを設け、内筒の外周に吐水部２９の端部を嵌め、その吐水部２９がネジの作用により外筒によって締め付けられるようにした構成が用いられる。このような構成においては、吐水部２９を引っ張ることにより、内筒と外筒との間から引き抜くことができる。従って、いたずら等による対象は吐水部２９に向けられるが、その吐水部２９が引き抜かれても、開閉操作部３０は接続状態に維持され、蛇口２５主要部が壊されることを防止できる。
【００２９】
・  吐水部２９と開閉操作部３０とが一体化した蛇口２５を用いること。この場合においても、プッシュ型の自閉式のものを用いることが好ましい。この構成においては、壁板１９の透孔は一箇所に設ければよい。
【００３０】
・  前記実施形態においては、本発明を公衆トイレの給水装置において具体化したが、病院，幼稚園，学校，老人ホーム等の洗面所等の給水装置に具体化すること。
【符号の説明】
【００３１】
１１…壁部、１２…洗面台、１７…給水装置、１８…開口部、１９…壁部としての壁板、２１Ａ，２１Ｂ…透孔、２２Ａ，２２Ｂ…フランジ付きスリーブ、２２ａ…フランジ、２３Ａ，２３Ｂ…ロックナット、２４…配管、２５…蛇口、２６Ａ，２６Ｂ…継手、２９…吐水部、２９ａ…吐水口、３０…開閉操作部、３０ａ…最大径の部分としての稜線。
【図１】
2011162954.tif 000003
【図２】
2011162954.tif 000004
【図３】
2011162954.tif 000005
【図４】
2011162954.tif 000006
【図５】
2011162954.tif 000007
【図６】
2011162954.tif 000008